(57)【要約】【課題】高速移動の携帯用無線ＬＡＮ端末装置に対応できるように、消費電力の低減を出来るようにする。【解決手段】切換え可能な複数の無線ＬＡＮ部１０，２０を有する移動無線ＬＡＮ端末において、それぞれの無線ＬＡＮ部１０，２０の受信入力レベルを判定してこれら無線ＬＡＮ部の機能動作及び停止をそれぞれ独立に制御する制御手段（４０）を備えることにより、消費電力を低減出来るようにしたことを特徴とする。【選択図】  図１
2005244604.tif 000002
【特許請求の範囲】
【請求項１】
切換え可能な複数の無線ＬＡＮ部を有する移動無線ＬＡＮ端末において、それぞれの無線ＬＡＮ部の受信入力レベルを判定してこれら無線ＬＡＮ部の機能動作及び停止をそれぞれ独立に制御する制御手段を備えることを特徴とする移動無線ＬＡＮ端末。  
【請求項２】
制御手段は、１つの無線ＬＡＮが通信中である場合、この無線ＬＡＮの受信入力レベルが所定の閾値を超えている場合はこの通信中の無線ＬＡＮ以外の他の無線ＬＡＮを停止させ、またその受信入力が前記閾値以下となった場合は前記他の無線ＬＡＮの少なくとも１つを基地局探索用として動作させるよう制御する請求項１記載の移動無線ＬＡＮ端末。
【請求項３】
制御手段が、受信レベルの測定タイミングと現在の受信レベル検出値から受信レベルが閾値以下となる時刻を推定し、この閾値以下となる時刻以前に通信中の無線ＬＡＮ以外の他の無線ＬＡＮの少なくとも１つを基地局探索用として動作させるよう制御する請求項２記載の移動無線ＬＡＮ端末。
【請求項４】
制御手段が、使用しているアプリケーションまたはプロトコルに応じて、通信中以外の無線ＬＡＮの機能停止を判断するよう制御する請求項１記載の移動無線ＬＡＮ端末。
【請求項５】
アプリケーションが、音声通信であるＶｏ（Ｖｏｉｃｅ  ｏｖｅｒ）ＩＰの場合は通信中以外の無線ＬＡＮの少なくとも１つを動作させ、これ以外アプリケーションの場合には通信中以外の無線ＬＡＮ停止させる請求項４記載の移動無線ＬＡＮ端末。
【請求項６】
プロトコルが、ＲＴＰ（Ｒｅａｌ−ｔｉｍｅ  Ｔｒａｎｓｐｏｒｔ  Ｐｒｏｔｏｃｏｌ）による通信を行っている場合は通信中以外の無線ＬＡＮの少なくとも１つを動作させ、これ以外の場合には通信中以外の無線ＬＡＮの停止させる請求項４記載の移動無線ＬＡＮ端末。
【請求項７】
切換え可能な複数の無線ＬＡＮ部を有する移動無線ＬＡＮ端末の省電力方法において、それぞれの無線ＬＡＮ部の受信入力レベルを判定してこれら無線ＬＡＮ部の機能動作及び停止をそれぞれ独立に制御することを特徴とする移動無線ＬＡＮ端末の省電力方法。  
【請求項８】
１つの無線ＬＡＮが通信中である場合、この無線ＬＡＮの受信入力レベルが所定の閾値を超えている場合はこの通信中の無線ＬＡＮ以外の他の無線ＬＡＮを停止させ、またその受信入力が前記閾値以下となった場合は前記他の無線ＬＡＮの少なくとも１つを基地局探索用として動作させるよう制御する請求項７記載の移動無線ＬＡＮ端末の省電力方法。
【請求項９】
受信レベルの測定タイミングと現在の受信レベル検出値から受信レベルが閾値以下となる時刻を推定し、この閾値以下となる時刻以前に通信中の無線ＬＡＮ以外の他の無線ＬＡＮの少なくとも１つを基地局探索用として動作させるよう制御する請求項７記載の移動無線ＬＡＮ端末の省電力方法。
【請求項１０】
切換え可能な複数の無線ＬＡＮ部を有する移動無線ＬＡＮ端末を複数含むＬＡＮシステムにおいて、前記各移動無線ＬＡＮ端末は、それぞれ独立に省電力の制御が行われることを特徴とするＬＡＮシステム。
【発明の詳細な説明】
【技術分野】
【０００１】
本発明は、移動無線ＬＡＮ端末およびその省電力方法、およびＬＡＮシステムに関し、特に消費電力を低減出来るようにした移動無線ＬＡＮ端末およびその省電力方法、およびＬＡＮシステムに関する。
【背景技術】
【０００２】
近年、無線ＬＡＮを利用したＬＡＮ  端末が開発されているが、高速移動時にも通話をサポートするためには、無線ＬＡＮを複数用意する必要がある。すなわち、一方の無線ＬＡＮで通話中に、他方の無線ＬＡＮでローミング先の基地局を探索するという制御が必要となる。すなわち、無線ＬＡＮを多重化して無線伝搬品質を向上させる必要がある。この種の複数の無線ＬＡＮを搭載した無線ＬＡＮシステムとして、例えば、特許文献１に示される多重化ＬＡＮシステムがある。
【０００３】
図７はこの従来例のブロック図である。図７において、２つの多重化無線ＬＡＮ装置１１０，１１１が設けられている。多重化無線ＬＡＮ装置１１０は、有線ＬＡＮ１７０および無線ＬＡＮ部１８０，１８１に接続されている。多重化無線ＬＡＮ装置１１０は、有線ＬＡＮ１７０に接続されてブリッジング機能をもち、有線ＬＡＮと無線ＬＡＮを接続するアクセスポイントとして動作する。また、多重化無線ＬＡＮ装置１１１は、端末装置１７１に接続して使用する装置である。多重化無線ＬＡＮ装置１１１は、無線ＬＡＮ部１８０，１８１に対向する無線ＬＡＮ部１８２，１８３に接続されている。
【０００４】
多重化無線ＬＡＮ装置１１０は、有線ＬＡＮ制御部１１３と、無線ＬＡＮ監視装置１１６と、無線ＬＡＮ制御部１４０，１４１と、切替スイッチ制御部１６０と、切替スイッチ１２０とを備えている。有線ＬＡＮ制御部１１３は、有線ＬＡＮ１７０との接続部として、多重化無線ＬＡＮ装置１１０と有線ＬＡＮ１７０の送受信データを制御する。無線ＬＡＮ制御部１４０，１４１は、それぞれ無線ＬＡＮ部１８０，１８１の動作を制御し、通信状態を監視する。無線ＬＡＮ監視装置１１６は、  無線ＬＡＮ制御部１４０，１４１におけるデータの再送回数を監視する。切替スイッチ制御部１６０は、無線ＬＡＮ制御部１４０，１４１または無線ＬＡＮ監視装置１１６から信号を受けて、切替スイッチ１２０に対し制御信号を発信する。切替スイッチ１２０は、切替スイッチ制御部１６０から制御信号を受けて、有線ＬＡＮ制御部１１３と無線ＬＡＮ制御部１４０，１４１のどちらか一方を接続する。
【０００５】
無線ＬＡＮ部１８０，１８１はそれぞれ無線ＬＡＮ制御部１４０，１４１に接続される空中線１５０，１５１を有する。空中線１５０，１５１はそれぞれ１つの送信空中線１５０ｃ，１５１ｃと、これに対応するそれぞれ２つの受信空中線１５０ａ，１５０ｂおよび１５１ａ，１５１ｂから構成されている。２つの受信空中線１５０ａ，１５０ｂおよび１５１ａ，１５１ｂによる出力はそれぞれ無線ＬＡＮ制御部１４０，１４１で合成される。これら受信空中線１５０ａ、１５０ｂまたは１５１ａ、１５１ｂと送信空中線１５０ｃまたは１５１ｃとの間隔、および受信空中線１５０ａと１５０ｂおよび１５１ａと１５１ｂの相互間隔は、それぞれ一定の範囲で調整可能である。なお、これら送信空中線および受信空中線は、赤外線方式の無線ＬＡＮ部の場合はそれぞれ赤外線送信部および赤外線受信部である。
【０００６】
また、多重化無線ＬＡＮ装置１１１は、端末インタフェ−ス１１４と、無線ＬＡＮ制御部１４２，１４３と、無線ＬＡＮ監視装置１１７と、切替スイッチ制御部１６１と、切替スイッチ１２１とを備えている。この多重化無線ＬＡＮ装置１１１は、多重化無線ＬＡＮ装置１１０と同様な構成であり、有線ＬＡＮ１７０の代わりに端末装置１７１に接続され、有線ＬＡＮ制御部１１３の代わりに端末インタフェ−ス１１４を備えている。端末インタフェ−ス１１４は、多重化無線ＬＡＮ装置１１１と端末装置１７１の送受信データを制御する。多重化無線ＬＡＮ装置１１１は、無線ＬＡＮ部１８０，１８１に対向して無線ＬＡＮ部１８２，１８３が設けられている。
【０００７】
今、図７において多重化無線ＬＡＮ装置１１０および１１１は無線ＬＡＮ部１８０と無線ＬＡＮ部１８２からなる第１の伝送路を使用して通信しているものとする。このとき、無線ＬＡＮ部１８１と無線ＬＡＮ部１８３からなる第２の伝送路は、第１の伝送路に対する切替え予備となる。
【０００８】
第１の伝送路の上り下りいずれかの方向の受信成功率が例えば６０％以下になると、無線ＬＡＮ制御部１４０，１４２は切替スイッチ制御部１６０，１６１に信号を発信する。この信号を受信した切替スイッチ制御部１６０，１６１は、切替スイッチ１２０，１２１に切替スイッチ制御信号を発信し切替スイッチ１２０，１２１により、第１の伝送路から第２の伝送路への切り替えが行われる。
【０００９】
また、受信空中線１５０ａ，１５０ｂ間または１５２ａ，１５２ｂ間の受信成功率の差が、例えば３０％を越えると無線ＬＡＮ制御部１４０，１４２は、切替スイッチ制御部１６０，１６１に信号を発信する。この信号で、切替スイッチ制御部１６０，１６１は、切替スイッチ１２０，１２１に切替スイッチ制御信号を発信し、切替スイッチ１２０，１２１による第１の伝送路から第２の伝送路への切り換えが行われる。
【００１０】
しかし、複数の無線ＬＡＮを搭載することは、携帯無線端末はバッテリー容量の制限があり、消費電力の観点から困難であった。一方、複数の無線部を持つ通常の無線通信装置における電源供給を節約するシステムが知られている。
【００１１】
図８は他の従来例として、選択切換可能な複数の無線部を持つ無線通信装置の構成を示すブロック図である。この無線通信装置において、無線部に供給する電源供給を制御して消費電力の軽減を図ったものである。この無線通信装置は、図８に示すように、無線通信装置内に装備された複数の無線部１０１、１０２、・・・、１０ｎを備えている。ここでは、無線部が、セルーラ通信または衛星通信の場合となっている。無線部１０１、１０２、・・・、１０ｎの切換え及び電源部８からの電源供給は、制御部７により制御される。また、通話部６も制御部７により制御され無線部と接続される。また、記憶部９は、通話経路選択条件を記憶する通話経路選択条件記憶部９Ａと電源供給条件を記憶する電源供給条件記憶部９Ｂをと有する。各無線部１０１、１０２、・・・、１０ｎから制御部７にベースバンド信号１０１ａ、１０２ａ、・・・、１０ｎａと受信信号品質信号１０１ｂ、１０２ｂ、・・・、１０ｎｂが出力され、制御部７は電源供給線１０１ｃ、１０２ｃ、・・・、１０ｎｃを介して各無線部への電源供給を制御する。
【００１２】
次にこの動作を説明する。ここでは無線部１０１が選択されているとする。受信信号品質信号１０１ｂは、受信電界強度や受信信号のＳ／Ｎ比、パケットエラーレート等で表される。制御部７は、現在選択中の無線部１０１からの受信信号品質信号１０１ｂを検出し、記憶部９Ｂの電源供給条件と比較する。例えば、受信信号品質信号１０１ｂの内容が受信電界強度の場合、無線部１０１で受信電界強度を強度に応じたデジタル値に変換して制御部７に伝達される。また、記憶部９の電源供給条件記憶部９Ｂには、予め設定記憶されるデジタル基準値が記憶される。例えば、受信電界強度が高ければ大きな値、低ければ小さな値に変換される。従って、制御部７では、電源供給条件記憶部９Ｂに記憶したデジタル基準値と値の大小を比較するようにして、他の無線部１０２・・１０ｎへの電源供給を制御する。
【００１３】
この比較結果として、現在選択中の無線部１０１からの受信信号品質信号１０１ｂのデジタル値が電源供給条件記憶部９Ｂに記憶されたデジタル基準値より大きい場合、受信状況が良いことになる。この受信状況が良い場合は、現時点で選択されている経路を介して通信は可能であり、その経路が安定して利用可能であることが保証されている。従って、他の無線部１０２・・１０ｎへの電源供給を停止する。逆に、現在選択中の無線部からの受信信号品質信号として与えられるデジタル値が電源供給条件記憶部９Ｂに予め設定記憶されるデジタル基準値より小さい場合、受信状況が悪いことになる。この受信状況が悪い場合は、他の経路に切り換える必要が生じることがあるため、他の無線部１０２・・１０ｎへの動作電源の供給を再開する（例えば、特許文献２参照）。
【００１４】
【特許文献１】特開２０００−１３３９３号
【特許文献２】特開平８−１０７３８１号
【発明の開示】
【発明が解決しようとする課題】
【００１５】
しかし、この従来技術による携帯無線ＬＡＮ端末では、バッテリー容量の制限があり、複数の無線ＬＡＮを搭載することは、消費電力の観点から困難であった。
【００１６】
本発明の目的は、高速移動の携帯用装置に対応できるように、消費電力の低減を出来るようにした移動無線ＬＡＮ端末およびその省電力方法を提供することにある。
【課題を解決するための手段】
【００１７】
本発明の構成は、切換え可能な複数の無線ＬＡＮ部を有する移動無線ＬＡＮ端末において、それぞれの無線ＬＡＮ部の受信入力レベルを判定してこれら無線ＬＡＮ部の機能動作及び停止をそれぞれ独立に制御する制御手段を備えることにより、消費電力を低減出来るようにしたことを特徴とする。    
本発明において、制御手段は、１つの無線ＬＡＮが通信中である場合、この無線ＬＡＮの受信入力レベルが所定の閾値を超えている場合はこの通信中の無線ＬＡＮ以外の他の無線ＬＡＮを停止させ、またその受信入力が前記閾値以下となった場合は前記他の無線ＬＡＮの少なくとも１つを基地局探索用として動作させ、また、制御手段が、受信レベルの測定タイミングと現在の受信レベル検出値から受信レベルが閾値以下となる時刻を推定し、この閾値以下となる時刻以前に通信中の無線ＬＡＮ以外の他の無線ＬＡＮの少なくとも１つを基地局探索用として動作させるよう制御することが出来る。
【００１８】
また、本発明において、制御手段が、使用しているアプリケーションまたはプロトコルに応じて、通信中以外の無線ＬＡＮの機能停止を判断し、また、アプリケーションが音声通信のＶｏＩＰの場合は通信中以外の無線ＬＡＮの少なくとも１つを動作させ、それ以外アプリケーションの場合には通信中以外の無線ＬＡＮ停止させ、また、プロトコルがＲＴＰによる通信を行っている場合は通信中以外の無線ＬＡＮの少なくとも１つを動作させ、それ以外の場合には通信中以外の無線ＬＡＮの停止させることができる。
【００１９】
本発明の他の構成は、切換え可能な複数の無線ＬＡＮ部を有する移動無線ＬＡＮ端末の省電力方法において、それぞれの無線ＬＡＮ部の受信入力レベルを判定してこれら無線ＬＡＮ部の機能動作及び停止をそれぞれ独立に制御することにより、消費電力を低減できるようにすることを特徴とする。
【００２０】
本発明において、１つの無線ＬＡＮが通信中である場合、この無線ＬＡＮの受信入力レベルが所定の閾値を超えている場合はこの通信中の無線ＬＡＮ以外の他の無線ＬＡＮを停止させ、またその受信入力が前記閾値以下となった場合は前記他の無線ＬＡＮの少なくとも１つを基地局探索用として動作させ、また、受信レベルの測定タイミングと現在の受信レベル検出値から受信レベルが閾値以下となる時刻を推定し、この閾値以下となる時刻以前に通信中の無線ＬＡＮ以外の他の無線ＬＡＮの少なくとも１つを基地局探索用として動作させるよう制御することができる。
【００２１】
本発明のさらに他の構成は、切換え可能な複数の無線ＬＡＮ部を有する移動無線ＬＡＮ端末を複数含むＬＡＮシステムにおいて、前記各移動無線ＬＡＮ端末は、それぞれ独立に省電力の制御が行われることを特徴とする。
【発明の効果】
【００２２】
以上説明したように、本発明においては、以下に記載するような効果を奏する。その効果は、無線ＬＡＮ部の受信レベルを判定することにより、基地局探索用に無線ＬＡＮ部を起動しているので、従来のように常に基地局検索用無線ＬＡＮ部を起動させている無線ＬＡＮ端末に比べ、消費電力を低減できることである。
【発明を実施するための最良の形態】
【００２３】
次に図面により本発明の実施形態を説明する。図１は本発明の一実施形態の無線ＬＡＮ端末のブロック図である。この図１において、この無線ＬＡＮ端末は、複数の無線ＬＡＮ部１０および２０と、無線ＬＡＮ制御部４０と、通信インタフェース部５０とを有している。この無線ＬＡＮ端末においては、無線ＬＡＮ制御部４０がその受信レベルから動作すべき無線ＬＡＮ１０または２０を判定し、動作設定を行う。このように、通信中の状態から判断し、状況に応じて無線ＬＡＮ部１０，２０の機能動作及び停止することが可能であるため、消費電力を抑えることができる。
【００２４】
図１の無線ＬＡＮ制御部４０は、複数の無線ＬＡＮ部１０および２０から受信レベル検出値や同期状態を取得し、各無線ＬＡＮ部１０，２０の動作について判定および指示を行う。なお、更に本発明では、受信レベルの推定値、通信プロトコル、起動中のアプリケーションを判断し、無線ＬＡＮの制御を行わせても良い。
【実施例１】
【００２５】
図１は本発明の一実施例の高速移動無線ＬＡＮ端末のブロック図である。図１を参照すると、無線ＬＡＮ端末は、複数の無線ＬＡＮ部１０および２０と、無線ＬＡＮ制御部４０と、通信インタフェース部５０とからなる。無線ＬＡＮ部１０および２０は、それぞれダイバーシチアンテナ３１および３２に接続され、基地局もしくは他の無線ＬＡＮ端末と送受信を行う。ここではアンテナ共用のダイバーシチアンテナを記載しているが、アンテナを個別に用意しても良く、また単一アンテナとしても良い。
【００２６】
無線ＬＡＮ部１０は、無線ＬＡＮ送受信部１１と、受信レベル検出部１２と、基地局同期検出部１３とから構成される。無線ＬＡＮ送受信部１１は、ＩＥＥＥ８０２．１１で規定されている方式により無線通信を行う。受信レベル検出部１２は、受信したパケットの受信レベルを検出し、基地局同期検出部１３は、基地局との同期状態を検出している。また、無線ＬＡＮ部２０も同様に、無線ＬＡＮ送受信部２１と、受信レベル検出部２２と基地局同期検出部２３から構成されている。また、無線ＬＡＮ制御部４０は、受信レベル比較部４１と、無線ＬＡＮ動作管理部４４とが含まれる。
【００２７】
無線ＬＡＮ部１０および２０は、その受信レベル検出値と基地局との同期状態が、無線ＬＡＮ制御部４０に通知される。無線ＬＡＮ制御部４０で、受信レベル比較部４１が、通信中の無線ＬＡＮ部１０または２０から通知された受信レベルと受信レベル閾値とを比較する。そして無線ＬＡＮ動作管理部４４は、受信レベルが閾値以下の場合には通信を行っていない他の無線ＬＡＮ部を起動し、基地局を探索するよう制御を行う。そして無線ＬＡＮ部１０および２０からの送受信データは通信インタフェース部５０に接続される。通信インタフェース部５０は無線ＬＡＮ制御部４０からの制御により、通信中の無線ＬＡＮ部からの送受信データを通す。
【００２８】
次に、図１の高速移動無線ＬＡＮ端末の動作を図２に示すフロー図を使用して説明する。
図２において、まず高速移動無線ＬＡＮ端末が起動すると、複数ある無線ＬＡＮ部１０，２０の内の１つ（１０）を基地局探索用に起動させ、他の無線ＬＡＮ部２０は停止状態を維持し、基地局の探索を行う（ステップＳ１）。ここである基地局を検出し、その基地局に帰属できるまで基地局探索を行い、帰属できたら無線ＬＡＮ制御部４０に通知し（ステップＳ２）、ステップＳ３に進む。
【００２９】
無線ＬＡＮ制御部４０は、帰属できた無線ＬＡＮ部１０をデータ通信用に、停止状態の無線ＬＡＮ部２０は停止に設定し、通信インタフェース部５０に通知する（ステップＳ３）  。ここで高速移動無線ＬＡＮ端末はデータ通信を開始する。
【００３０】
次に、データ通信状態で、基地局を探索する必要が発生した場合の判定状態（ステップＳ４）に移る。データ通信で使用中以外の無線ＬＡＮ部２０を基地局探索のために起動するかどうかの判断は複数ある。
【００３１】
この部分の詳細は、図３のフロー図となるが、これは後述する。データ通信で使用中以外の無線ＬＡＮ部２０を基地局探索のために起動すると判断した場合（ステップＳ４）に移る。データ通信で使用中の無線ＬＡＮ部１０以外に停止中の無線ＬＡＮ部２０を起動させ、基地局探索用に設定させる（ステップＳ５）。ここではじめて複数の無線ＬＡＮ部１０，２０が同時に起動することになる。基地局探索用無線ＬＡＮ部２０が基地局を検出し、帰属できた場合、無線ＬＡＮ部は無線ＬＡＮ制御部４０に通知する（ステップＳ６）。無線ＬＡＮ制御部４０は新たに帰属した無線ＬＡＮ部２０をデータ通信用に、今までデータ通信を行っていた無線ＬＡＮ部１０を停止に設定し、通信インタフェース部５０に通知する（ステップＳ７）。その後ステップＳ４に遷移し、基地局を探索する必要が発生した場合の判定を行う。
【００３２】
この部分の詳細について図３のフロー図を使って説明する。図３（ａ）の場合、無線ＬＡＮ制御部４０はデータ通信用無線ＬＡＮ部１０（２０）から送られた基地局が送信したパケットの受信レベルとあらかじめ設定されていた閾値を比較する。そしてパケットの受信レベルが、閾値以下となった場合データ通信用無線ＬＡＮ部以外の無線ＬＡＮ部を起動すると判断する（ステップＳ１１）。また、パケットの受信レベルが、閾値以上の場合には再度、受信レベルの判定に戻る。
【００３３】
また、図３（ｂ）は図３（ａ）と異なる他の受信レベルの判定方法を説明するフロー図である。図３（ｂ）のフローにおいて、この判定方法もデータ通信中の無線ＬＡＮ部から送られた基地局送信パケットの受信レベルから判断するものである。ただし、その判定は、比較的長い周期で定期的に受信レベルの検出タイミングを生成する（ステップＳ２１）。生成タイミングで受信レベルを検出または前回タイミングから現時点までの受信レベルの平均値を検出する（ステップＳ２２）。検出した受信レベルと過去  回の受信レベルから、あらかじめ設定していた受信レベル閾値以下となる時刻を推定する（ステップＳ２３）。推定した時刻が次回生成タイミング以前であると判断した場合データ通信用無線ＬＡＮ部以外の無線ＬＡＮ部を起動すると判断する（ステップＳ２４）。
【００３４】
図４（ａ）（ｂ）はこの受信レベルとその検出タイミングを説明するグラフである。この無線ＬＡＮ端末の受信レベルは、任意のタイミング間隔ｎ毎に測定されているとする。図４（ａ）では、タイミングｎ，ｎ＋１，ｎ＋２と受信レベルが下がってきているが、次のタイミングｎ＋３では受信レベルの推定値が受信レベル閾値よりも高いレベルにあると推定される。また、図４（ｂ）では、タイミングｎ，ｎ＋１，ｎ＋２と受信レベルが急に下がってきており、次のタイミングｎ＋３では受信レベルの推定値が受信レベル閾値以下のレベルにあると推定される。この場合がステップＳ２３に相当し、この場合には、データ通信用無線ＬＡＮ部以外の無線ＬＡＮ部を起動するよう制御する。
【００３５】
図３（ａ）の実施例によれば、受信レベルが閾値以下となったときに、基地局探索用に無線ＬＡＮ部を起動しているので、従来のように常に基地局検索用無線ＬＡＮ部を起動させている無線ＬＡＮ端末に比べ、消費電力を低減できるという効果がある。
【００３６】
また、図３（ｂ）の実施例によれば、基地局探索用に無線ＬＡＮ部を起動させるかどうかの判断を行う無線ＬＡＮ制御部の判定タイミングを、今までの受信レベル検出結果から推定して、比較的長い周期で行うことができるため、さらに消費電力を低減できるという効果がある。
【実施例２】
【００３７】
図５は本発明の他の実施例の高速移動無線ＬＡＮ端末のブロック図である。この基本的構成は図１と似ているが、データ通信用無線ＬＡＮ部以外の無線ＬＡＮ部の起動判断についてさらに工夫したものである。本図では携帯電話をイメージしており、通信インタフェース部５０ａがＣＰＵ６０に接続され、ＣＰＵ６０が表示部６１とユーザーインタフェース部６２に接続されている。また、ＣＰＵ６０からアプリケーションの起動や通信プロトコルの情報を無線ＬＡＮ制御部４０ａに通知する手段を有している。また、無線ＬＡＮ制御部４０ａには、図１の受信レベル比較部４１、無線ＬＡＮ動作管理部４４の他に、プロトコル判定部４２とアプリケーション判定部４３とが付加されている。
【００３８】
このプロトコル判定部４２は、ＩＰパケットのヘッダ情報からプロトコルを検出する機能と、プロトコルを登録しておくテーブルと、検出したプロトコルとテーブルを比較し、テーブルに登録されたプロトコルを使用しているかどうかを判定する。例えば、プロトコルが、ＲＴＰの場合、ローミングによる通信断を避けるため、常時データ通信用無線ＬＡＮ以外の無線ＬＡＮを起動するよう制御されている。
【００３９】
この場合、データ通信用無線ＬＡＮ部以外の無線ＬＡＮ部の起動判断は、図６（ａ）のフローのようになる。本実施例では、通信に使用しているプロトコルの使用状況に応じて、データ通信用無線ＬＡＮ部以外の無線ＬＡＮ部を起動するか否かを判断するものである。あらかじめ設定しておいたプロトコル（たとえばＲＴＰ；Ｒｅａｌ−ｔｉｍｅ  Ｔｒａｎｓｐｏｒｔ  Ｐｒｏｔｏｃｏｌ）を使用している場合、データ通信用無線ＬＡＮ部以外の無線ＬＡＮ部を起動する（ステップＳ４１）。従って、プロトコル判定部４２がプロトコルとしてＲＴＰを使用していると判定した場合にはデータ通信用無線ＬＡＮ部以外の無線ＬＡＮ部を起動するよう制御する。
【００４０】
また、アプリケーション判定部４３は、起動中のアプリケーションを検出する機能を有し、アプリケーションを登録しておくテーブルと、起動中のアプリケーションとテーブルを比較し、テーブルに登録されたアプリケーションを使用しているかどうかを判定する。
例えば、テーブルに登録されたアプリケーションが，アプリケーションとして、音声をＩＰパケットで送るＶｏＩＰ（Ｖｏｉｃｅ  ｏｖｅｒ  ＩＰ）を起動しているとする。このＶｏＩＰを起動している場合は、ローミングによる通信断を避けるため、常時データ通信用無線ＬＡＮ以外の無線ＬＡＮを起動するよう制御されている。
【００４１】
この場合、データ通信用無線ＬＡＮ部以外の無線ＬＡＮ部の起動判断は、図６（ｂ）のフローのようになる。本実施例では、ユーザーが使用しているアプリケーションの使用状況に応じて、データ通信用無線ＬＡＮ部以外の無線ＬＡＮ部を起動するか否かを判断するものである。あらかじめ設定しておいたアプリケーションをユーザーが起動した場合、データ通信用無線ＬＡＮ部以外の無線ＬＡＮ部を起動する（ステップＳ３１）。ここではアプリケーション判定部４３が、ＶｏＩＰを起動していると判定した場合、データ通信用無線ＬＡＮ部以外の無線ＬＡＮ部を起動するよう制御する。
【００４２】
なお、ステップＳ３１およびＳ４１は，受信レベルによる判定と合わせて使用しても良い。指定したアプリケーションが起動中または指定したプロトコルを使用している場合のみ受信レベルによる判定を行うことも可能である。
【００４３】
また、以上の説明では、移動無線ＬＡＮ端末の実施例が単体の場合を説明しているが、この他の実施例として、これら移動無線ＬＡＮ端末を複数含むＬＡＮシステムとなる。この場合には、各移動無線ＬＡＮ端末は、それぞれ独立に省電力の制御が行われ、全体として効率のよいシステムを運用が可能となる。
【産業上の利用可能性】
【００４４】
本発明は、移動無線ＬＡＮ端末、特に高速に移動している移動無線ＬＡＮ端末に適用する事ができる。また、これら移動無線ＬＡＮ端末を複数用いたＬＡＮシステム、さらには、通常の移動無線ＬＡＮ端末にも適用することができる。
【図面の簡単な説明】
【００４５】
【図１】本発明の第１の実施形態を説明する無線ＬＡＮ端末装置のブロック図である。
【図２】図１の無線ＬＡＮ端末装置の制御を説明するフロー図である。
【図３】（ａ）（ｂ）は図２の制御レベルによる２例の動作を説明するフロー図である。
【図４】（ａ）（ｂ）は図２における制御レベルの２例を説明するグラフである。
【図５】本発明の第２の実施形態を説明する無線ＬＡＮ端末装置のブロック図である。
【図６】（ａ）（ｂ）は図５の無線ＬＡＮ端末装置の制御を説明するフロー図である。
【図７】従来例を説明する無線ＬＡＮ端末装置のブロック図である。
【図８】他の従来例を説明する無線通信装置のブロック図である。
【符号の説明】
【００４６】
６    通話部
７    制御部
８    電源部
９    記憶部
１０，２０，１８０〜１８３    無線ＬＡＮ部
１１，２１    無線ＬＡＮ送受信部
１２，２２    受信レベル検出部
１３，２３    基地局同期検出部
３１，３２，１５０〜１５３    アンテナ（空中線）
４０，１４０〜１４３    無線ＬＡＮ制御部
４１    受信レベル比較部
４２    プロトコル判定部
４３    アプリケーション判定部
４４    無線ＬＡＮ動作管理部
５０    通信インタフェース部
６０    ＣＰＵ
６１    表示部
６２    ユーザーインタフェース部
１０１，１０２・・１０ｎ    無線部
１０１ａ，１０２ａ・・１０ｎａ    ベースバンド信号
１０１ｂ，１０２ｂ・・１０ｎｂ    受信信号品質信号
１０１ｃ，１０２ｃ・・１０ｎｃ    電源供給線
１１６，１１７    無線ＬＡＮ監視装置
１２０，１２１    切替スイッチ
１５０ａ，ｂ〜１５３ａ，ｂ    受信空中線
１５０ｃ〜１５３ｃ    送信空中線
１６０，１６１    スイッチ制御部
【図１】
2005244604.tif 000003
【図２】
2005244604.tif 000004
【図３】
2005244604.tif 000005
【図４】
2005244604.tif 000006
【図５】
2005244604.tif 000007
【図６】
2005244604.tif 000008
【図７】
2005244604.tif 000009
【図８】
2005244604.tif 000010